(57)【要約】      （修正有）【課題】オーディオアンプの電源回路に、チョークインプット型整流平滑回路を採用する場合、チョークインダクタが高価であるうえに、他の電源回路と比較して大きな配設スペースを必要とするという課題があった。【解決手段】電源回路の、電圧降圧手段にトロイダル型電源トランス２を用い、平滑手段の一部にチョークインダクタ３を備えて、斯かるトロイダル型電源トランス２の中央空隙部にチョークインダクタ３を配設して、金属シールドケース４の中で共に樹脂封入し一体化しすることを特徴とする。【選択図】図１
2005183489.tif 000002
【特許請求の範囲】
【請求項１】
形状がドーナツ型であるトロイダル型電源トランスと、そのトロイダル型電源トランスからの出力を平滑するチョークインダクタが備えられ、そのチョークインダクタを前記トロイダル型電源トランスの中央空隙部に配設して、金属シールドケースの中で共に樹脂封入することを特徴とした電源供給装置。
【発明の詳細な説明】
【技術分野】
【０００１】
オーディオアンプ用の電源回路として、特に高調波ノイズ成分を排除することを目的としたチョークインプット型整流平滑回路において、チョークインダクタの設置スペースを必要とせず、チョークインダクタのコストも抑えた電源供給装置に関する。
【背景技術】
【０００２】
オーディオアンプの機能は、微小電圧の音楽信号を忠実に増幅することである。特に高音質を追求するオーディオアンプにおいては、供給される電力についても信号処理に影響を及ぼす高調波ノイズ成分を除去することが求められている。
【０００３】
そのため、高音質を追求するオーディオアンプの一部には、チョークインプット型整流平滑回路を採用している。
チョークインプット型整流平滑回路は、交流商業電源を電源トランスで任意の交流電圧に降圧後、その電源電圧を整流ダイオードで交流から脈流に整流し、チョークインダクタを介して平滑コンデンサで脈流を平滑して直流に変換している。
【０００４】
チョークインプット型整流平滑回路を採用したオーディオアンプの例としては、日本マランツ株式会社製オーディオアンプ、コントロールアンプ「SC-7S1」、パワーアンプ「MA-9S1」等がある。
【０００５】
【非特許文献１】チョークインプット型整流平滑回路の搭載機器：日本マランツ株式会社製  オーディオコントロールアンプ 「SC-7S1」、オーディオパワーアンプ「MA-9S1」。
【発明の開示】
【発明が解決しようとする課題】
【０００６】
先に説明した日本マランツ株式会社製のオーディオコントロールアンプ「SC-7S1」、オーディオパワーアンプ「MA-9S1」では、チョークインプット型整流平滑回路で用いたチョークインダクタが大型で高価な部品となっていた。
【０００７】
チョークインダクタは、通電するとリーケージフラックス（漏洩磁束）を生じ、隣接した電気回路に影響を与えしまう虞がある。加えて、通電によりチョークインダクタのコアが振動し唸りを発する場合もある。これら二つの問題点を解決するためにはチョークインダクタを金属シールドケースによって囲いリーケージフラックスを防止すると共に、樹脂封入し振動を抑える等の対応が必要であった。その結果、チョークインダクタは高価になるのである。
【０００８】
又、金属シールドケースで囲われたチョークインダクタは形状が大きく、他の電源回路と比較して配設に大きなスペースを必要としていた。電源回路が大きくなることはオーディオアンプの大型化に繋がり、日本の住環境における軽薄短小への取り組みにそぐわない。
【課題を解決するための手段】
【０００９】
図１は、本発明の電源供給装置１を示す一部切り欠きを含んだ斜視図である。
図２は、本発明の、チョークインダクタ３をトロイダル型電源トランス２の中央空隙部に配設して、金属シールドケース４の中で一体化する構造を示す分解図である。
【００１０】
本発明は、形状がドーナツ型であるトロイダル型電源トランス２と、そのトロイダル型電源トランス２からの出力を平滑するチョークインダクタ３が備えられ、そのチョークインダクタを前記トロイダル型電源トランスの中央空隙部に配設して、金属シールドケース４の中で共に樹脂封入し一体化することを特徴とする。
【００１１】
尚、トロイダル型電源トランスの中央空隙部に配設する平滑するための部材は、チョークインダクタに限定されるものではなく、抵抗又はコンデンサ等を用いても良い。
【発明の効果】
【００１２】
チョークインプット型整流平滑回路に使用するチョークインダクタを、トロイダル型電源トランスの中央空隙部に配設することにより、チョークインダクタを設置するためのスペースを必要としない。そのため、比較的に部品の実装密度が高いプリメインアンプや小型のオーディオアンプにもチョークインプット型整流平滑回路の採用が可能となる。
【００１３】
又、チョークインダクタ用の金属シールドケースをトロイダル型電源トランス用の金属シールドケースで兼用することで樹脂封入作業も一度で済むことから、チョークインダクタ用の金属シールドケースとこれに伴う樹脂封入作業が不要となり、その分のコストが削減できる。
【発明を実施するための最良の形態】
【００１４】
電源トランスに形状がドーナツ型であるトロイダル型電源トランスを用い、チョークインダクタを使用するチョークインプット電流平滑回路について、次のように発明の実施が可能である。
【００１５】
トロイダル型電源トランスのコアサイズは、オーディオアンプの定格出力電力の仕様により決定される。
【００１６】
チョークインダクタのコアサイズは、電源回路の電圧／電流仕様によって決定される。コアサイズについては、トロイダル型電源トランスの中央空隙部に配設する為に可能な限り小型であることが望ましい。そのため巻数を多く形成でき、しかも全体の形状が立方体に近い、EとIの形状をしたケイ素鋼板を重ねて構成されるEI型コアが最適である。
【００１７】
決定されたチョークインダクタの外形が、トロイダル型電源トランスの中央空隙部より小さければ発明の実施が可能となる。
トロイダル型電源トランスの中央空隙部より大きくなってしまった場合は、電源回路の電圧／電流仕様に対して消費電力を抑える対応をしてチョークインダクタのコアサイズを小型化する。
【００１８】
チョークインダクタの小型化が不可能な場合は、トロイダル型電源トランスのコアサイズを1ランク上げるなどの調整をして、チョークインダクタをトロイダル型電源トランスの中央空隙部に配設する。
【００１９】
チョークインダクタを中央空隙部に配設したトロイダル型電源トランスは、各々のリード線を引き出した状態で金属シールドケースに収め、金属シールドケースの中で共に樹脂封入する。
斯くして、チョークインプット型整流平滑回路用のチョークインダクタはトロイダル型電源トランスと一体化した構造となる。
【００２０】
尚、トロイダル型電源トランスの中央空隙部に配設する平滑するための部材は、チョークインダクタに限定されるものではなく、抵抗又はコンデンサ等を用いても良い。
【図面の簡単な説明】
【００２１】
【図１】本発明の電源供給装置を示す一部切り欠きを含んだ斜視図。
【図２】本発明のチョークインダクタをトロイダル型電源トランスの中央空隙部に配設した構造を示す分解図。
【符号の説明】
【００２２】
１：電源供給装置
２：トロイダル型電源トランス
３：チョークインダクタ
４：金属シールドケース
５：シャーシ
【図１】
2005183489.tif 000003
【図２】
2005183489.tif 000004